(57)【要約】【課題】利用可能なスペースを広くすることが可能な洗面化粧台を提供する。【解決手段】洗面化粧台１は、吐水受け３０と落水受け５０を備えている。吐水受け３０は、吐水部２２からの水Ｗ１を受けるための一次受け部４０と、受けた水Ｗ１が落下する水落下部４５と、を有している。落水受け５０は、水落下部４５から落下する水Ｗ１を受ける二次受け部６０と、該二次受け部６０で受けた水Ｗ１を排水トラップ７５へ通す排水口６５と、を有している。【選択図】図４
2016059753.tif 000002
【特許請求の範囲】
【請求項１】
吐水部からの水を受けるための一次受け部と、受けた水が落下する水落下部と、を有する吐水受けと、
前記水落下部から落下する水を受ける二次受け部と、該二次受け部で受けた水を排水トラップへ通す排水口と、を有する落水受けと、を備えることを特徴とする洗面化粧台。
【請求項２】
前記一次受け部において水を受ける面の最下部に前記水落下部が繋がっていることを特徴とする請求項１に記載の洗面化粧台。
【請求項３】
前記水落下部が前記吐水受けの背面部に形成されていることを特徴とする請求項１又は請求項２に記載の洗面化粧台。
【請求項４】
前記吐水受けを立てた状態で収納する収納部を備え、
前記吐水受けは、前記吐水部からの水を受ける使用位置へ前記収納部から倒れながら引出可能であり、前記収納部に収納されている時に前面となる部分に鏡が設けられていることを特徴とする請求項１〜請求項３のいずれか一項に記載の洗面化粧台。
【発明の詳細な説明】
【技術分野】
【０００１】
本発明は、洗面化粧台に関する。
【背景技術】
【０００２】
洗面化粧台として、水栓から吐水された水（湯も含む。）を受ける洗面ボウルの丸みを帯びた受け面の下部に略円形の排水口を設けたものが使用されている（例えば、特許文献１参照。）。排水口からは、排水トラップを有する配管が下方へ延出している。
【０００３】
尚、理美容院用の化粧台であるが、特許文献２に示される化粧台は、頭髪等をシャンプーする際の使用時にはシャンプーボールを収納部から前側へ倒すことができ、不使用時にはシャンプーボールを起立させて収納部に収納することができる。このシャンプーボールの使用時における背面からは、後方へ可撓パイプが延出している。シャンプーボールを起立させると使用時における背面が下面となるので、シャンプーボールに残った水が可撓パイプから排出される。
【先行技術文献】
【特許文献】
【０００４】
【特許文献１】実用新案登録第２５３４３７６号公報
【特許文献２】実開平５−３１６９１号公報
【発明の概要】
【発明が解決しようとする課題】
【０００５】
洗面ボウルの下部に設けられる排水口は、受けた水を一点に集めるため、水平面においてある程度、洗面ボウルの中央寄りに配置せざるを得ない。このため、排水口から下方へ延出した配管が洗面ボウル下方のスペースを占有してしまい、洗面ボウル下方のニースペースや収納スペースが狭くなってしまう。
特許文献２に示される化粧台は、使用時において、シャンプーボールの背面から後方へ延出した可撓パイプがシャンプーボールの背後のスペースを占有してしまう。このため、可撓パイプの占有スペースをシャンプーボールの背後に確保しておく必要がある。
【０００６】
本発明は、利用可能なスペースを広くすることが可能な洗面化粧台を提供する目的を有している。
【課題を解決するための手段】
【０００７】
本発明の洗面化粧台は、吐水部からの水を受けるための一次受け部と、受けた水が落下する水落下部と、を有する吐水受けと、
前記水落下部から落下する水を受ける二次受け部と、該二次受け部で受けた水を排水トラップへ通す排水口と、を有する落水受けと、を備える、態様を有する。
【０００８】
すなわち、排水トラップを有する配管を直接吐水受けに接続する必要が無いので、利用可能なスペースを広くすることが可能となる。
【発明の効果】
【０００９】
本発明によれば、利用可能なスペースを広くすることが可能な洗面化粧台を提供することができる。
【図面の簡単な説明】
【００１０】
【図１】吐水受けを引き出した状態で洗面化粧台の外観を例示する正面図である。
【図２】吐水受けの位置が変わる洗面化粧台の外観を例示する斜視図である。
【図３】吐水受けを引き出した状態で洗面化粧台の要部を例示する正面図である。
【図４】吐水受けを引き出した状態の洗面化粧台を図３のＡ１−Ａ１の位置で切断した要部垂直断面図である。
【図５】（ａ）は洗面キャビネットを形成する側板に対して吐水受けを回転可能に取り付ける例を説明するための要部分解図、（ｂ）は落水受けを有する洗面キャビネット本体の側面を例示する側面図、である。
【図６】吐水受けを収納した状態の洗面化粧台の要部垂直断面図である。
【図７】比較例に係る洗面化粧台の要部を模式的に示す垂直断面図である。
【発明を実施するための形態】
【００１１】
以下、本発明の実施形態を説明する。むろん、以下の実施形態は本発明を例示するものに過ぎず、実施形態に示す特徴の全てが発明の解決手段に必須になるとは限らない。
【００１２】
（１）本技術の概要：
まず、図１〜６を参照して本技術の概要を説明する。尚、各図は整合していないことがある。
【００１３】
本技術の洗面化粧台１は、吐水受け３０と落水受け５０を備えている。吐水受け３０は、吐水部２２からの水Ｗ１を受けるための一次受け部４０と、受けた水Ｗ１が落下する水落下部４５と、を有している。落水受け５０は、前記水落下部４５から落下する水Ｗ１を受ける二次受け部６０と、該二次受け部６０で受けた水Ｗ１を排水トラップ７５へ通す排水口６５と、を有している。
【００１４】
図７は、比較例に係る洗面化粧台９００の要部を模式的に示している。この洗面化粧台９００の洗面ボウル９３０は、丸みを帯びた受け面９４０の最下部に略円形の排水口９６５が設けられている。この排水口９６５からは、排水トラップ９７５を有する配管９７０が下方へ延出している。排水口９６５の周囲の受け面９４０は、受けた水を排水口９６５に集めるため、Ｒ形状９４１を有している。排水口９６５を受け面９４０の後寄りに設けても、Ｒ形状９４１があるため、排水口９６５はある程度、中央寄りに配置せざるを得ない。図７には、水平面において受け面９４０の最も奥から排水口９６５までの距離Ｌ１を示している。この距離Ｌ１の分、排水口９６５が前側となるため、排水口９６５に接続された配管９７０が洗面ボウル下方のスペースＳＰ９を占有してしまい、洗面ボウル下方のニースペースや収納スペースが狭くなってしまう。
【００１５】
一方、図１〜６に例示する本技術は、排水トラップ７５へ水を通す配管７０を吐水受け３０に接続する必要が無いので、排水口６５や配管７０の配置の自由度が向上する。従って、本技術は、利用可能なスペースを広くすることが可能となる。
【００１６】
ここで、上記吐水部には、種々の水栓の吐水部が含まれ、吐水パイプ、シャワーヘッド、等が含まれる。
上記水には、湯も含まれる。むろん、受ける水には、汚れや洗剤といった成分、毛髪といった異物、等が含まれてもよい。
【００１７】
前記水落下部４５は、前記一次受け部４０において水Ｗ１を受ける面（受け面４１）の最下部４１ａに繋がってもよい。この態様は、一次受け部４０において水Ｗ１を受ける面（４１）の最下部４１ａから水Ｗ１が落水受け５０の方へ落下するので、吐水受け３０で受けた水Ｗ１が残ることを抑制することができる。むろん、吐水受け使用時に残り水が生じるものの、一次受け部において水を受ける面の最下部以外の部位に水落下部が繋がっている態様も、本技術に含まれる。
【００１８】
前記水落下部４５は、前記吐水受け３０の背面部３４に形成されてもよい。この態様は、排水トラップ７５を有する配管を奥に設置することができるので、利用可能なスペースをさらに広くすることができる。むろん、水落下部４５が吐水受け３０の側部３３や底部３２等に繋がっている態様も、本技術に含まれる。
【００１９】
本洗面化粧台１は、前記吐水受け３０を立てた状態で収納する収納部８０を備えてもよい。前記吐水受け３０は、前記吐水部２２からの水Ｗ１を受ける使用位置Ｐ１へ前記収納部８０から倒れながら引出可能でもよい。また、前記吐水受け３０は、前記収納部８０に収納されている時に前面となる部分（外底面３２ａ）に鏡Ｍ３が設けられてもよい。本態様は、収納部８０に収納された時における吐水受け３０の前面に鏡Ｍ３があるので、吐水受け３０を収納部８０に収納した時に姿見として利用可能となる。むろん、吐水受けに鏡が無い態様、吐水受けが移動しない態様、及び、吐水受けの収納部が無い態様も、本技術に含まれる。
【００２０】
（２）洗面化粧台の具体例：
図１は、具体例としてキャビネット２，３，４，５を有する洗面化粧台１を示している。図２は、洗面化粧台１の吐水受け３０の位置が変わる様子を示している。尚、上下左右前後の位置関係を説明する際には、図１に示すように洗面化粧台１を見る位置を基準にする。
【００２１】
図１，２に示す洗面化粧台１には、下から順に、下キャビネット２、洗面キャビネット３、中間キャビネット４、及び、上キャビネット５が設けられている。各キャビネット２，３，４，５は、物を収納可能な内部空間を有し、前面に鏡Ｍ２，Ｍ３，Ｍ４，Ｍ５が設けられている。キャビネット２，４，５の鏡Ｍ２，Ｍ４，Ｍ５は、内部空間を開閉するための扉（例えば開き戸）の前面に対して取付金具により取り付けられている。むろん、鏡Ｍ２，Ｍ４，Ｍ５は、両面テープ等で扉の前面に貼付されてもよい。本具体例の吐水受け３０及び落水受け５０は、洗面キャビネット３に設けられている。この洗面キャビネット３は、吐水受け３０を立てた状態で収納する収納部８０を有する。吐水受け３０は、吐水部２２からの水Ｗ１を受ける使用位置Ｐ１（図２の左側）と、収納部８０に収納される収納位置Ｐ２（図２の右側）とに向きを変えて移動可能である。尚、洗面化粧台１の前方を照らす照明が洗面化粧台１に設けられてもよい。
【００２２】
図３は、吐水受け３０が使用位置Ｐ１にある状態の洗面化粧台１の要部を示している。図４は、図３のＡ１−Ａ１の位置における洗面化粧台１の要部垂直断面図である。図５（ａ）は、洗面キャビネット３の要部を分解した状態で示している。図５（ｂ）は、落水受け５０を有する洗面キャビネット本体１０の側面を示している。
図３等に示す洗面化粧台１は、落水受け５０を有する洗面キャビネット本体１０、水栓２０、吐水受け３０、排水トラップ７５を有する配管７０、等を有している。本洗面化粧台１は、吐水部２２から吐出された水Ｗ１を受ける吐水受け３０と、この吐水受け３０から流出した水Ｗ１を排水口６５から排出する落水受け５０とを別部材で構成したという、特徴を有する。
【００２３】
洗面キャビネット本体１０は、図３，４等に示すように、上側に棚部１１，１１及び水栓取付部１２が形成され、水栓取付部１２の下に下向き面１３が形成され、下部に落水受け５０が形成されている。落水受け５０の詳細は、後述する。棚部１１，１１は、水栓取付部１２を挟んで左右に設けられ、小物類を収納可能である。水栓取付部１２には、供給される湯及び水を適宜混合して吐出する湯水混合水栓２０を構成する吐水部２２及び操作部２４が取り付けられている。図３等に示す吐水部２２は、吐水状態を切替可能であり、いわゆるシャワー水とストレート水とを切り替えて吐出することができる。むろん、吐水部は、ストレート水を吐出する吐水パイプ、曲げることの可能なシャワーホースに取り付けられたシャワーヘッド、等でもよく、吐水パイプとシャワーヘッドの両方を備えるものでもよい。図３等に示す操作部２４は、水量調整と水温調整を一つのレバーで操作可能であり、例えば、左右に動かすと水温を変えることができ、前後に動かすと水量を変えることができる。むろん、操作部は、水量調整用の操作部と水温調整用の操作部とが分かれていてもよく、レバー式以外にも、ハンドル式等でもよい。下向き面１３は、使用位置Ｐ１にある吐水受け３０の背面部３４における上面３１が突き当たるようにされている。従って、下向き面１３は、吐水受け３０を所定の使用位置Ｐ１に保持する機能を有する。
【００２４】
洗面キャビネット本体１０の左右両側には、側板１５，１５が設けられる。図５（ａ）に示すように、各側板１５には、回転式のダンパー３５を取り付けるための穴１５ａが形成されている。側板１５，１５は、ダンパー３５及び取付金具３６を介して吐水受け３０を回動可能に支持する機能を有する。洗面キャビネット３には、側板１５，１５の間において洗面キャビネット本体１０の前側に吐水受け３０の収納部８０が設けられる。
尚、洗面キャビネット３には、水栓２０及び吐水受け３０を照らす照明が設けられてもよい。
【００２５】
吐水受け３０は、吐水部２２からの水Ｗ１を受けるための一次受け部４０、及び、受けた水Ｗ１が落下する水落下部４５を有している。
図１，３，４等に示すように吐水受け３０が使用位置Ｐ１にある時、吐水受け３０は、底部３２、左右の側部３３，３３、及び、背面部３４を有している。ここで、底部３２、側部３３、及び、背面部３４の内側の面を、それぞれ、底面４２、側面４３、及び、背面４４と呼ぶことにする。これらの面４２，４３，４４は、一次受け部４０において水Ｗ１を受ける受け面４１となる。ここで、受け面４１は、水Ｗ１が当たる面を意味し、左側又は右側へ動いてきた水が当たる側面４３、及び、後側へ動いてきた水が当たる背面４４が含まれる。底面４２、及び、底部３２の外底面３２ａは、奥の位置になるほど下となる傾斜を有している。底面４２の最も奥の部位は、受け面４１の最下部４１ａとなる。外底面３２ａには、鏡Ｍ３が取付金具により取り付けられている。むろん、鏡Ｍ３は、両面テープ等で外底面３２ａに貼付されてもよい。各側面４３は、略鉛直に形成されている。背面４４は、前側となるほど下となる傾斜を有している。水平面に対する背面４４の角度は、水平面に対する底面４２の角度よりも大きい。使用位置Ｐ１にある時の吐水受け３０の上面３１は、略水平とされる。
【００２６】
背面部３４の下部には、受け面４１で受けた水Ｗ１が落水受け５０に落下するようにされたスリット状の水落下部４５が形成されている。図４等に示すように、水落下部４５は、奥に向かって下がる底面４２の最も奥にある最下部４１ａに繋がっている。このように水落下部４５が底面４２上に繋がっているので、一次受け部４０で受けた水Ｗ１がほぼ残らないようにされている。水落下部４５の幅（水平方向における長さ）は、底面４２の幅に合わせられている。このため、一次受け部４０で受けた水Ｗ１が水落下部４５から速やかに排出される。また、図６に示すように吐水受け３０が収納部８０に収納された時でも水落下部４５は落水受け５０の上にある。従って、収納位置Ｐ２にある吐水受け３０の水落下部４５から水が滴っても、この水は落水受け５０に受け止められる。
【００２７】
左右の側部３３，３３の外側の面には、それぞれ、図５（ａ）に示すように、取付金具３６を挿入するための穴３３ａが形成されている。尚、図５（ａ）は、洗面キャビネット３の右側の取付構造のみを示し、この右側の取付構造と面対称である左側の取付構造の図示を省略している。左右にある各側板１５の穴１５ａに回転式のダンパー３５を取り付け、各側部３３の穴３３ａに取付金具３６を取り付け、左右それぞれにおいてダンパー３５と取付金具３６とを嵌合させると、ダンパー３５及び取付金具３６を介して側板１５，１５に吐水受け３０が回動可能に支持される。図３，４等には、吐水受け３０の回転中心である仮想の回転軸ＡＸ１を示している。吐水受け３０は図６等に示すように外底面３２ａが略鉛直に配置される収納位置Ｐ２から前側へ倒れながら引出可能であり、背面部３４における上面３１が洗面キャビネット本体１０の下向き面１３に突き当たると吐水受け３０が使用位置Ｐ１に保持される。また、図４等に示すように吐水受け３０は上面３１が略水平に配置される使用位置Ｐ１から後側へ起き上がりながら収納動作可能であり、外底面３２ａが略鉛直に配置されると吐水受け３０が収納位置Ｐ２に保持される。この時の外底面３２ａはキャビネット２，４，５の扉の前面と略面一となり、外底面３２ａに取り付けられた鏡Ｍ３がキャビネット２，４，５に設けられた鏡Ｍ２，Ｍ４，Ｍ５と略面一となる。尚、略面一とは、互いの面がほぼ合わせられていることを意味し、２０ｍｍ以下（好ましくは１０ｍｍ以下）の段差は略面一に含まれるものとする。
【００２８】
落水受け５０は、水落下部４５から落下する水Ｗ１を受ける二次受け部６０、及び、該二次受け部６０で受けた水Ｗ１を排水トラップ７５へ通す排水口６５を有している。
図４等に示すように、二次受け部６０は、落水受け５０から落下した水Ｗ１を受ける受け面６１として底面６２及び背面６４を有し、上面が開口している。ここで、受け面６１は、落水受け５０からの水Ｗ１が当たる面を意味し、後側へ動いてきた水が当たる背面６４が含まれる。尚、二次受け部６０の左右には、左側又は右側へ動いてきた水Ｗ１の受け面として機能する側板１５，１５が配置されている。むろん、受け面６１として左右の側面を二次受け部６０に設けてもよい。底面６２には、排水口６５が設けられている。底面６２は、排水口６５に向かって緩やかに下降する傾斜を有している。
【００２９】
尚、落水受け５０を有する洗面キャビネット本体１０、及び、吐水受け３０の主要部の材質は、特に限定されず、熱可塑性樹脂や熱硬化性樹脂といった樹脂材料、ステンレスといった金属、等とすることができる。また、キャビネット２，３，４，５の側板、及び、キャビネット２，４，５の扉の主要部の材質も、特に限定されず、熱可塑性樹脂といった樹脂材料、木質素材、等とすることができる。
【００３０】
図４等に示すように、排水トラップ７５を有する配管７０は、トラップ前配管７１とトラップ形成配管７２とトラップ後配管７３を有し、下キャビネット２の収納部２ａに配置されている。本排水トラップ７５はＳ字状に曲がったいわゆるＳトラップであり、トラップ形成配管７２が前段のＵ字状部と後段の逆Ｕ字状部を有している。排水口６５とトラップ形成配管７２の前端とを繋ぐトラップ前配管７１、及び、トラップ形成配管７２の後端に接続されたトラップ後配管７３は、略鉛直に配置されている。
【００３１】
尚、排水トラップを有する配管は、全体として排水トラップを有していればよい。このため、トラップ前配管やトラップ形成配管やトラップ後配管が複数の配管で構成されたり、トラップ形成配管が直接排水口に接続されたりしてもよい。
また、本技術を適用可能な排水トラップは、トラップ後配管が略水平に配置されたいわゆるＰトラップ等でもよい。
さらに、図３では排水口６５及び配管７０が左右方向における略中央に配置されているが、排水口６５及び配管７０は左右のどちらかに寄っていてもよい。
【００３２】
次に、洗面化粧台１の作用及び効果を説明する。
図４等に示すように吐水受け３０が使用位置Ｐ１にあるとき、吐水受け３０の一次受け部４０が吐水部２２からの水Ｗ１を受け、この水Ｗ１が底面４２に沿って流下して水落下部４５から落水受け５０に落下する。すると、落水受け５０の二次受け部６０が水落下部４５からの水Ｗ１を受け、この水Ｗ１が排水口６５から排水トラップ７５へ通される。
【００３３】
図７で示した洗面化粧台９００のように丸みを帯びた受け面９４０の最下部に排水口９６５が設けられていると、排水口９６５及び配管９７０をある程度中央寄りに配置せざるを得ない。排水口９６５を受け面９４０の後寄りに設けても、排水口９６５がある程度前側となるため、洗面ボウル下方のスペースＳＰ９が配管９７０に占有され、洗面ボウル下方のニースペースや収納スペースが狭くなってしまう。
また、特許文献２に示される化粧台と同様に洗面ボウルの背面に排水口を設けて該排水口から後方へパイプを延出させると、このパイプが洗面ボウルの背後のスペースを占有してしまう。このため、パイプの占有スペースを洗面ボウルの背後に確保しておく必要がある。
【００３４】
一方、本洗面化粧台１は、吐水受け３０から落下する水Ｗ１を受ける落水受け５０に排水口６５があるので、排水トラップ７５へ水を通す配管７０を吐水受け３０に接続する必要が無い。このため、洗面化粧台１の前に椅子を置いた時に膝を入れるニースペース（スペースＳＰ１）を広くするように排水口６５及び配管７０を配置することができ、下キャビネット２の収納部２ａについても収納スペースを広くするように排水口６５及び配管７０を配置することができる。このように、本洗面化粧台１は、排水口６５や配管７０の配置の自由度を向上させることができ、利用可能なスペースを広くすることが可能となる。
【００３５】
また、図６等に示すように収納位置Ｐ２にある吐水受け３０の前面（使用位置Ｐ１における外底面３２ａ）に鏡Ｍ３があるので、この鏡Ｍ３を姿見として使用することができる。特に、上下のキャビネット２，４，５にも鏡Ｍ２，Ｍ４，Ｍ５があるので、洗面化粧台１を大きな姿見として利用することができる。
【００３６】
（３）変形例：
本発明は、種々の変形例が考えられる。
例えば、吐水受けは、洗面キャビネットから取り外し可能とされてもよい。
水落下部は、スリット状以外にも、一又は二以上の溝状に形成されてもよいし、複数の貫通穴の集まり等でもよい。
また、水落下部は、吐水受け３０の背面部３４に形成する代わりに、吐水受け３０の側部３３，３３の少なくとも一方に形成してもよい。この場合も、排水トラップ７５へ水を通す配管７０を吐水受け３０に接続する必要が無いので、ニースペースや収納スペースを広くするように排水口６５及び配管７０を配置することができる。
【００３７】
尚、鏡Ｍ２，Ｍ３，Ｍ４，Ｍ５の少なくとも一部が略面一でなくても、洗面化粧台を大きな姿見として利用可能となる効果が得られる。また、鏡Ｍ２，Ｍ４，Ｍ５の一部又は全部が無くても、洗面化粧台を姿見として利用可能となる効果が得られる。
さらに、吐水受け３０に鏡Ｍ３が設けられていなくても、利用可能なスペースを広くすることが可能となる効果が得られる。また、吐水受け３０が使用位置Ｐ１から移動不要に固定されていても、利用可能なスペースを広くすることが可能となる効果が得られる。
【００３８】
（４）結び：
以上説明したように、本発明によると、種々の態様により、利用可能なスペースを広くすることが可能な洗面化粧台等の技術を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００３９】
１…洗面化粧台、２〜５…キャビネット、２ａ…収納部、
１０…洗面キャビネット本体、１５…側板、１５ａ…穴、
２０…水栓、２２…吐水部、２４…操作部、
３０…吐水受け、
３１…上面、３２…底部、３２ａ…外底面、３３…側部、３３ａ…穴、３４…背面部、
３５…ダンパー、３６…取付金具、
４０…一次受け部、
４１…受け面、４１ａ…最下部、４２…底面、４３…側面、４４…背面、
４５…水落下部、
５０…落水受け、
６０…二次受け部、６１…受け面、６２…底面、６４…背面、
６５…排水口、７０…配管、７５…排水トラップ、
８０…収納部、
Ｍ２〜Ｍ５…鏡、Ｐ１…使用位置、Ｐ２…収納位置、ＳＰ１…スペース、Ｗ１…水。
【図１】
2016059753.tif 000003
【図２】
2016059753.tif 000004
【図３】
2016059753.tif 000005
【図４】
2016059753.tif 000006
【図５】
2016059753.tif 000007
【図６】
2016059753.tif 000008
【図７】
2016059753.tif 000009